(57)【要約】【課題】左手および右手のいずれによっても片手操作を可能とする。【解決手段】ポータブルテレビ１は、テレビジョン放送を受信するためのチューナーと、ポータブルテレビ１の前面に設けられ、コンテンツを表示するための表示部２と、利用者が、ポータブルテレビの背面を右手で覆うようにし、かつ、右手の親指の付け根部分と右手の他の指とでポータブルテレビ１を把持した右手把持状態である場合に右手の他の指に対応する位置に設けられ、コンテンツの視聴時の操作を行なうための右手操作部５と、利用者が、背面を左手で覆うようにし、かつ、左手の親指の付け根部分と左手の他の指とでポータブルテレビを把持した左手把持状態である場合に左手の他の指に対応する位置に設けられ、コンテンツの視聴時の操作を行なうための左手操作部とを含む。【選択図】図１
2013229807.tif 000002
【特許請求の範囲】
【請求項１】
テレビジョン放送に含まれるコンテンツを視聴するためのポータブルテレビであって、
前記テレビジョン放送を受信するための受信部と、
前記ポータブルテレビの前面に設けられ、前記コンテンツを表示するための表示部と、
利用者が、前記ポータブルテレビの背面を右手で覆うようにし、かつ、前記右手の親指の付け根部分と前記右手の他の指とで前記ポータブルテレビを把持した右手把持状態である場合に前記右手の前記他の指に対応する位置に設けられ、前記コンテンツの視聴時の操作を行なうための右手操作部と、
前記利用者が、前記背面を左手で覆うようにし、かつ、前記左手の親指の付け根部分と前記左手の他の指とで前記ポータブルテレビを把持した左手把持状態である場合に前記左手の前記他の指に対応する位置に設けられ、前記コンテンツの視聴時の操作を行なうための左手操作部とを含む、ポータブルテレビ。
【請求項２】
前記右手操作部には、前記左手把持状態である場合に前記右手操作部と前記左手の親指の前記付け根部分との接触が抑制されるように前記左手の親指の付け根部分側に突出した第１突出部が形成され、
前記左手操作部には、前記右手把持状態である場合に前記左手操作部と前記右手の親指の前記付け根部分との接触が抑制されるように前記右手の親指の付け根部分側に突出した第２突出部が形成される、請求項１に記載のポータブルテレビ。
【請求項３】
前記右手操作部は、前記表示部に向かって左側の第１側面に設けられ、前記右手把持状態である場合に、前記右手の前記他の指によって、前記テレビジョン放送のチャンネルの変更と音量の変更とを行なうための複数の右手操作部材を含む、請求項１または２に記載のポータブルテレビ。
【請求項４】
前記複数の右手操作部材は、前記右手把持状態である場合に、前記右手の人差し指に対応する位置に設けられ、チャンネル番号が増加するように前記チャンネルを変更するための第１右手スイッチと、前記右手の中指に対応する位置に設けられ、前記チャンネル番号が減少するように前記チャンネルを変更するための第２右手スイッチと、前記右手の薬指に対応する位置に設けられ、前記音量を増加側に変更するための第３右手スイッチと、前記右手の小指に対応する位置に設けられ、前記音量を減少側に変更するための第４右手スイッチとを含む、請求項３に記載のポータブルテレビ。
【請求項５】
前記複数の右手操作部材は、前記右手把持状態である場合に、前記右手の人差し指に対応する位置に設けられた、チャンネル番号が増加するように前記チャンネルを変更するための第１右手スイッチおよび前記チャンネル番号が減少するように前記チャンネルを変更するための第２右手スイッチと、前記右手の中指に対応する位置に設けられた、前記音量を増加側に変更するための第３右手スイッチおよび前記音量を減少側に変更するための第４右手スイッチとを含む、請求項３に記載のポータブルテレビ。
【請求項６】
前記右手操作部は、前記表示部に向かって左側の第１側面に設けられ、前記右手把持状態である場合に、前記右手の前記他の指によって、前記テレビジョン放送のチャンネルの変更と音量の変更とを行なうための複数の右手操作部材を含み、
前記第１突出部は、隣接する前記右手操作部材の間に形成される、請求項２に記載のポータブルテレビ。
【請求項７】
前記右手操作部は、前記表示部に向かって左側の第１側面に設けられ、前記右手把持状態である場合に、前記右手の前記他の指によって、前記テレビジョン放送のチャンネルの変更と音量の変更とを行なうための複数の右手操作部材を含み、
前記第１突出部は、前記右手操作部よりも前記前面側に前記第１側面に沿って形成される、請求項２に記載のポータブルテレビ。
【請求項８】
前記左手操作部は、前記表示部に向かって右側の第２側面に設けられ、前記左手把持状態である場合に、前記左手の前記他の指によって、前記テレビジョン放送のチャンネルの変更と音量の変更とを行なうための複数の左手操作部材を含む、請求項１〜７のいずれかに記載のポータブルテレビ。
【請求項９】
前記複数の左手操作部材は、前記左手把持状態である場合に、前記左手の人差し指に対応する位置に設けられ、チャンネル番号が増加するように前記チャンネルを変更するための第１左手スイッチと、前記左手の中指に対応する位置に設けられ、前記チャンネル番号が減少するように前記チャンネルを変更するための第２左手スイッチと、前記左手の薬指に対応する位置に設けられ、前記音量を増加側に変更するための第３左手スイッチと、前記左手の小指に対応する位置に設けられ、前記音量を減少側に変更するための第４左手スイッチとを含む、請求項８に記載のポータブルテレビ。
【請求項１０】
前記複数の左手操作部材は、前記左手把持状態である場合に、前記左手の人差し指に対応する位置に設けられた、チャンネル番号が増加するように前記チャンネルを変更するための第１左手スイッチおよび前記チャンネル番号が減少するように前記チャンネルを変更するための第２左手スイッチと、前記左手の中指に対応する位置に設けられた、前記音量を増加側に変更するための第３左手スイッチおよび前記音量を減少側に変更するための第４左手スイッチとを含む、請求項８に記載のポータブルテレビ。
【請求項１１】
前記左手操作部は、前記表示部に向かって右側の第２側面に設けられ、前記左手把持状態である場合に、前記左手の前記他の指によって、前記テレビジョン放送のチャンネルの変更と音量の変更とを行なうための複数の左手操作部材を含み、
前記第２突出部は、隣接する前記左手操作部材の間に形成される、請求項２に記載のポータブルテレビ。
【請求項１２】
前記左手操作部は、前記表示部に向かって右側の第２側面に設けられ、前記左手把持状態である場合に、前記左手の前記他の指によって、前記テレビジョン放送のチャンネルの変更と音量の変更とを行なうための複数の左手操作部材を含み、
前記第２突出部は、前記左手操作部よりも前記前面側に前記第２側面に沿って形成される、請求項２に記載のポータブルテレビ。
【請求項１３】
前記ポータブルテレビは、
前記ポータブルテレビの上面であって、前記表示部に向かって右側の前記右手の親指に対応する位置に設けられ、前記ポータブルテレビを起動状態または停止状態にするための第１起動スイッチと、
前記ポータブルテレビの前記上面であって、前記表示部に向かって左側の前記左手の親指に対応する位置に設けられ、前記ポータブルテレビを前記起動状態または前記停止状態にするための第２起動スイッチとをさらに含む、請求項１〜１２のいずれかに記載のポータブルテレビ。
【請求項１４】
前記左手操作部と前記右手操作部とは、前記表示部を中心として左右対称になるように設けられる、請求項１〜１３のいずれかに記載のポータブルテレビ。
【発明の詳細な説明】
【技術分野】
【０００１】
本発明は、テレビジョン放送に含まれるコンテンツを視聴するためのポータブルテレビに関する。
【背景技術】
【０００２】
特開２００９−２７６９６１号公報（特許文献１）には、片手操作による情報送信装置または情報送受信装置が開示される。
【先行技術文献】
【特許文献】
【０００３】
【特許文献１】特開２００９−２７６９６１号公報
【発明の概要】
【発明が解決しようとする課題】
【０００４】
ところで、テレビジョン放送を受信してコンテンツを視聴するためのポータブルテレビが公知である。このようなポータブルテレビは、片手で操作できるようにボタン等の操作部材が設けられる。しかしながら、このようなポータブルテレビを片手で操作する場合には、右手および左手のいずれか一方の手で操作されることとなる。そのため、右手での操作を考慮して操作部材が設けられる場合には、左手での利用を希望する利用者にとって不便となるという問題がある。
【０００５】
上述した公報に開示された情報送受信装置は、接地する面を裏返すことによって右手でも左手でも操作を可能とするものである。しかしながら、ポータブルテレビのようにコンテンツを表示する画面が１つである場合には、表裏を入れ替えることができないため、上述した課題を解決することができない。
【０００６】
本発明は、上述した課題を解決するためになされたものであり、その目的は、左手および右手のいずれによっても片手操作が可能なポータブルテレビを提供することである。
【課題を解決するための手段】
【０００７】
この発明のある局面に係るポータブルテレビは、テレビジョン放送に含まれるコンテンツを視聴するためのポータブルテレビである。このポータブルテレビは、テレビジョン放送を受信するための受信部と、ポータブルテレビの前面に設けられ、コンテンツを表示するための表示部と、利用者が、ポータブルテレビの背面を右手で覆うようにし、かつ、右手の親指の付け根部分と右手の他の指とでポータブルテレビを把持した右手把持状態である場合に右手の他の指に対応する位置に設けられ、コンテンツの視聴時の操作を行なうための右手操作部と、利用者が、背面を左手で覆うようにし、かつ、左手の親指の付け根部分と左手の他の指とでポータブルテレビを把持した左手把持状態である場合に左手の他の指に対応する位置に設けられ、コンテンツの視聴時の操作を行なうための左手操作部とを含む。
【０００８】
好ましくは、右手操作部には、左手把持状態である場合に右手操作部と左手の親指の付け根部分との接触が抑制されるように左手の親指の付け根部分側に突出した第１突出部が形成される。左手操作部には、右手把持状態である場合に左手操作部と右手の親指の付け根部分との接触が抑制されるように右手の親指の付け根部分側に突出した第２突出部が形成される。
【０００９】
さらに好ましくは、右手操作部は、表示部に向かって左側の第１側面に設けられ、右手把持状態である場合に、右手の他の指によって、テレビジョン放送のチャンネルの変更と音量の変更とを行なうための複数の右手操作部材を含む。
【００１０】
さらに好ましくは、複数の右手操作部材は、右手把持状態である場合に、右手の人差し指に対応する位置に設けられ、チャンネル番号が増加するようにチャンネルを変更するための第１右手スイッチと、右手の中指に対応する位置に設けられ、チャンネル番号が減少するようにチャンネルを変更するための第２右手スイッチと、右手の薬指に対応する位置に設けられ、音量を増加側に変更するための第３右手スイッチと、右手の小指に対応する位置に設けられ、音量を減少側に変更するための第４右手スイッチとを含む。
【００１１】
さらに好ましくは、複数の右手操作部材は、右手把持状態である場合に、右手の人差し指に対応する位置に設けられた、チャンネル番号が増加するようにチャンネルを変更するための第１右手スイッチおよびチャンネル番号が減少するようにチャンネルを変更するための第２右手スイッチと、右手の中指に対応する位置に設けられた、音量を増加側に変更するための第３右手スイッチおよび音量を減少側に変更するための第４右手スイッチとを含む。
【００１２】
さらに好ましくは、右手操作部は、表示部に向かって左側の第１側面に設けられ、右手把持状態である場合に、右手の他の指によって、テレビジョン放送のチャンネルの変更と音量の変更とを行なうための複数の右手操作部材を含む。第１突出部は、隣接する右手操作部材の間に形成される。
【００１３】
さらに好ましくは、右手操作部は、表示部に向かって左側の第１側面に設けられ、右手把持状態である場合に、右手の他の指によって、テレビジョン放送のチャンネルの変更と音量の変更とを行なうための複数の右手操作部材を含む。第１突出部は、右手操作部よりも前面側に第１側面に沿って形成される。
【００１４】
さらに好ましくは、左手操作部は、表示部に向かって右側の第２側面に設けられ、左手把持状態である場合に、左手の他の指によって、テレビジョン放送のチャンネルの変更と音量の変更とを行なうための複数の左手操作部材を含む。
【００１５】
さらに好ましくは、複数の左手操作部材は、左手把持状態である場合に、左手の人差し指に対応する位置に設けられ、チャンネル番号が増加するようにチャンネルを変更するための第１左手スイッチと、左手の中指に対応する位置に設けられ、チャンネル番号が減少するようにチャンネルを変更するための第２左手スイッチと、左手の薬指に対応する位置に設けられ、音量を増加側に変更するための第３左手スイッチと、左手の小指に対応する位置に設けられ、音量を減少側に変更するための第４左手スイッチとを含む。
【００１６】
さらに好ましくは、複数の左手操作部材は、左手把持状態である場合に、左手の人差し指に対応する位置に設けられた、チャンネル番号が増加するようにチャンネルを変更するための第１左手スイッチおよびチャンネル番号が減少するようにチャンネルを変更するための第２左手スイッチと、左手の中指に対応する位置に設けられた、音量を増加側に変更するための第３左手スイッチおよび音量を減少側に変更するための第４左手スイッチとを含む。
【００１７】
さらに好ましくは、左手操作部は、表示部に向かって右側の第２側面に設けられ、左手把持状態である場合に、左手の他の指によって、テレビジョン放送のチャンネルの変更と音量の変更とを行なうための複数の左手操作部材を含む。第２突出部は、隣接する左手操作部材の間に形成される。
【００１８】
さらに好ましくは、左手操作部は、表示部に向かって右側の第２側面に設けられ、左手把持状態である場合に、左手の他の指によって、テレビジョン放送のチャンネルの変更と音量の変更とを行なうための複数の左手操作部材を含む。第２突出部は、左手操作部よりも前面側に第２側面に沿って形成される。
【００１９】
さらに好ましくは、ポータブルテレビは、ポータブルテレビの上面であって、表示部に向かって右側の右手の親指に対応する位置に設けられ、ポータブルテレビを起動状態または停止状態にするための第１起動スイッチと、ポータブルテレビの上面であって、表示部に向かって左側の左手の親指に対応する位置に設けられ、ポータブルテレビを起動状態または停止状態にするための第２起動スイッチとをさらに含む。
【００２０】
さらに好ましくは、左手操作部と右手操作部とは、表示部を中心として左右対称になるように設けられる。
【発明の効果】
【００２１】
この発明によると、左手把持状態である場合には、左手の親指以外の他の指でコンテンツの視聴時の操作を行なうことができる。さらに、右手把持状態である場合には、右手の親指以外の他の指でコンテンツの視聴時の操作を行なうことができる。したがって、左手および右手のいずれによっても片手操作が可能なポータブルテレビを提供することができる。
【図面の簡単な説明】
【００２２】
【図１】第１の実施の形態に係るポータブルテレビの前面図である。
【図２】第１の実施の形態に係るポータブルテレビの側面図および背面図である。
【図３】第１の実施の形態に係るポータブルテレビの内部構造の一部を示す図である。
【図４】第１の実施の形態に係るポータブルテレビの構成を示すブロック図である。
【図５】第１の実施の形態の変形例に係るポータブルテレビの前面図である。
【図６】第２の実施の形態に係るポータブルテレビの前面図である。
【図７】第２の実施の形態に係るポータブルテレビの側面図および背面図である。
【図８】第３の実施の形態に係るポータブルテレビの前面図である。
【図９】第３の実施の形態に係るポータブルテレビの側面図および背面図である。
【図１０】第４の実施の形態に係るポータブルテレビの前面図および上面図である。
【発明を実施するための形態】
【００２３】
以下、図面を参照しつつ、本発明の実施の形態は、説明される。以下の説明では、同一の部品には同一の符号が付されている。それらの名称および機能も同じである。したがってそれらについての詳細な説明は繰り返されない。
【００２４】
＜第１の実施の形態＞
本実施の形態に係るポータブルテレビは、テレビジョン放送を受信して、受信したテレビジョン放送に含まれるコンテンツを視聴するための携帯可能な番組視聴装置である。
【００２５】
図１に示すようにポータブルテレビ１は、筺体３と、表示部２と、左手用電源ボタン４と、右手操作部５と、右手用電源ボタン１４と、左手操作部１５と、録画ボタン２４と、再生ボタン２６と、停止ボタン２８と、スピーカ３０と、ケーブル接続部３２と、充電コネクタ３４とを含む。
【００２６】
筺体３と、左手用電源ボタン４、右手操作部５、右手用電源ボタン１４、左手操作部１５、録画ボタン２４、再生ボタン２６および停止ボタン２８等の操作部材とは、たとえば、樹脂等の材質で形成される。なお、筺体３と、上記した操作部材とは、たとえば、金属等の材質で形成されてもよい。
【００２７】
筺体３は、少なくとも利用者が片手で把持可能な幅（図１の左右方向）および奥行（図１の前後方向）を有する直方形状である。なお、利用者の片手の大きさは、予め定められた大きさであって、たとえば、予め想定した購買層の平均的な体格から決定されてもよい。
【００２８】
筺体３の前面には、表示部２と、スピーカ３０と、録画ボタン２４と、再生ボタン２６と停止ボタン２８とが設けられる。表示部２は、筺体３の前面中央部に設けられる。スピーカ３０は、表示部２よりも上側に設けられる。録画ボタン２４、再生ボタン２６および停止ボタン２８は、表示部２よりも下側に設けられる。
【００２９】
筺体３の表示部２に向かって上側の側面（以下、上側面とも記載する）には、左手用電源ボタン４と、ケーブル接続部３２と、右手用電源ボタン１４とが設けられる。ケーブル接続部３２は、筺体３の上側面の中央部に設けられる。左手用電源ボタン４は、表示部２に向かってケーブル接続部３２の左側に設けられる。右手用電源ボタン１４は、表示部２に向かってケーブル接続部３２の右側に設けられる。
【００３０】
筺体３の表示部２に向かって下側の側面（以下、下側面とも記載する）には、充電コネクタ３４が設けられる。充電コネクタ３４は、充電ケーブル（図示せず）と接続可能な形状を有する。
【００３１】
筺体３の表示部２に向かって左側の側面（以下、左側面とも記載する）には、右手操作部５が設けられる。筺体３の表示部２に向かって右側の側面（以下、右側面とも記載する）には、左手操作部１５が設けられる。
【００３２】
表示部２は、たとえば、ＬＣＤ（Liquid  Crystal  Display）またはＯＬＥＤ（Organic  Electro-Luminescence  Display）等の表示装置が用いられる。表示部２は、幅方向の長さが高さ方向（図１の上下方向）の長さよりも短い矩形の表示領域を有する。表示部２は、テレビジョン放送に含まれるコンテンツ（番組）やＯＳＤ（On  Screen  Display）等を用いた所定の情報を表示する。
【００３３】
右手操作部５は、利用者がコンテンツの視聴時の操作を右手で行なうための複数の右手操作部材を有する。複数の右手操作部材は、利用者がポータブルテレビ１の背面を右手で覆うようにし、かつ、右手の親指の付け根部分（右手母指球）と右手の他の指とでポータブルテレビを把持した右手把持状態である場合に、右手の他の指に対応する位置に設けられる。また、コンテンツの視聴時の操作とは、テレビジョン放送のチャンネルの変更操作と、音量の変更操作とを含む。
【００３４】
右手操作部５は、第１右手用選局ボタン６と、第２右手用選局ボタン８と、第１右手用音量ボタン１０と、第２右手用音量ボタン１２とを含む。
【００３５】
第１右手用選局ボタン６は、チャンネル番号が増加するようにチャンネルを変更するためのスイッチである。第１右手用選局ボタン６は、右手把持状態である場合の利用者の右手の人差し指に対応する位置に設けられる。
【００３６】
第２右手用選局ボタン８は、チャンネル番号が減少するようにチャンネルを変更するためのスイッチである。第２右手用選局ボタン８は、右手把持状態である場合の利用者の右手の中指に対応する位置に設けられる。
【００３７】
第１右手用音量ボタン１０は、音量を増加側に変更するためのスイッチである。第１右手用音量ボタン１０は、右手把持状態である場合の利用者の右手の薬指に対応する位置に設けられる。
【００３８】
第２右手用音量ボタン１２は、音量を減少側に変更するためのスイッチである。第２右手用音量ボタン１２は、右手把持状態である場合の利用者の右手の小指に対応する位置に設けられる。
【００３９】
第１右手用選局ボタン６は、筺体３の左側面に設けられる他のボタンよりも上側の位置に設けられる。第２右手用選局ボタン８は、第１右手用選局ボタン６よりも下側の位置に設けられる。第１右手用音量ボタン１０は、第２右手用選局ボタン８よりも下側の位置に設けられる。第２右手用音量ボタン１２は、第１右手用音量ボタン１０よりも下側の位置に設けられる。
【００４０】
左手操作部１５は、利用者がコンテンツの視聴時の操作を左手で行なうための複数の左手操作部材を有する。複数の左手操作部材は、利用者がポータブルテレビ１の背面を左手で覆うようにし、かつ、左手の親指の付け根部分（左手母指球）と左手の他の指とでポータブルテレビ１を把持した左手把持状態である場合に、左手の他の指に対応する位置に設けられる。
【００４１】
左手操作部１５は、第１左手用選局ボタン１６と、第２左手用選局ボタン１８と、第１左手用音量ボタン２０と、第２左手用音量ボタン２２とを含む。
【００４２】
第１左手用選局ボタン１６は、チャンネル番号が増加するようにチャンネルを変更するためのスイッチである。第１左手用選局ボタン１６は、左手把持状態である場合の利用者の左手の人差し指に対応する位置に設けられる。
【００４３】
第２左手用選局ボタン１８は、チャンネル番号が減少するようにチャンネルを変更するためのスイッチである。第２左手用選局ボタン１８は、左手把持状態である場合の利用者の左手の中指に対応する位置に設けられる。
【００４４】
第１左手用音量ボタン２０は、音量を増加側に変更するためのスイッチである。第１左手用音量ボタン２０は、左手把持状態である場合の利用者の左手の薬指に対応する位置に設けられる。
【００４５】
第２左手用音量ボタン２２は、音量を減少側に変更するためのスイッチである。第２左手用音量ボタン２２は、左手把持状態である場合の利用者の左手の小指に対応する位置に設けられる。
【００４６】
第１左手用選局ボタン１６は、筺体３の右側面に設けられる他のボタンよりも上側の位置に設けられる。第２左手用選局ボタン１８は第１左手用選局ボタン１６よりも下側の位置に設けられる。第１左手用音量ボタン２０は、第２左手用選局ボタン１８より下側の位置に設けられる。第２左手用音量ボタン２２は、第１左手用音量ボタン２０よりも下側の位置に設けられる。
【００４７】
左手用電源ボタン４は、ポータブルテレビ１の上側面であって、表示部２に向かって左側の左手の親指に対応する位置に設けられる。左手用電源ボタン４は、ポータブルテレビ１を起動状態または停止状態にするための起動スイッチである。
【００４８】
右手用電源ボタン１４は、ポータブルテレビ１の上側面であって、表示部２に向かって右側の右手の親指に対応する位置に設けられる。右手用電源ボタン１４は、ポータブルテレビ１を起動状態または停止状態にするための起動スイッチである。
【００４９】
図２に示すように、第１左手用選局ボタン１６、第２左手用選局ボタン１８、第１左手用音量ボタン２０および第２左手用音量ボタン２２は、いずれも矩形形状のボタンを有する。なお、ボタンの形状としては、矩形形状に限定されるもではなく、たとえば、円形であってもよいし、多角形であってもよい。あるいは、各ボタンの形状や大きさは、各ボタン間で異なっていてもよい。
【００５０】
また、特に図示しないが、本実施の形態において、第１右手用選局ボタン６、第２右手用選局ボタン８、第１右手用音量ボタン１０および第２右手用音量ボタン１２についても同様に矩形形状のボタンを有するものとする。
【００５１】
筺体３の右側面には、筺体３の内側に凹んだ４つの凹部が形成される。４つの凹部の底面の各々に、第１左手用選局ボタン１６、第２左手用選局ボタン１８、第１左手用音量ボタン２０および第２左手用音量ボタン２２が配置される。また、４つの凹部は、いずれもポータブルテレビ１の背面側に貫通する切り欠き部を有する。
【００５２】
このように各ボタンを凹部の底面に配置することによって第１左手用選局ボタン１６と第２左手用選局ボタン１８との間と、第２左手用選局ボタン１８と第１左手用音量ボタン２０との間と、第１左手用音量ボタン２０と第２左手用音量ボタン２２との間とに、筺体３の外側に突出した突出部１７，１９，２１がそれぞれ形成される。突出部１７，１９，２１は、右手把持状態である場合に右手の親指の付け根部分側に突出した状態になるため、左手操作部１５と右手の親指の付け根部分との接触が抑制される。すなわち、左手操作部１５と右手の親指の付け根部分との接触による左手操作部１５の誤操作が抑制される。
【００５３】
なお、好ましくは、突出部１７，１９，２１の端面と、左手操作部１５の操作部材の端面とがポータブルテレビ１の幅方向について同じ位置であるか、あるいは、突出部１７，１９，２１の端面の方が左手操作部１５の操作部材の端面よりもポータブルテレビ１の幅方向外側にオフセットしていることが望ましい。
【００５４】
なお、筺体３の左側面にも、同様の４つの凹部が形成され、それによって突出部７，９，１１が形成される。突出部７，８，１１は、突出部１７，１９，２１と表示部２を中心として左右対称に設けられる。突出部７，８，１１は、左手把持状態である場合に左手の親指の付け根部分側に突出した状態になるため、右手操作部５と左手の親指の付け根部分との接触が抑制される。すなわち、右手操作部５と左手の親指の付け根部分との接触による右手操作部５の誤操作が抑制される。
【００５５】
図３に示すように、ポータブルテレビ１の筺体３の内部には、マザーボード１００が収納される。マザーボード１００は、ケーブル接続部３２を有するチューナ１０２を含む。チューナ１０２において受信されたテレビジョン放送に含まれるコンテンツの映像データおよび音声データは、マザーボード１００上に実装したハードウェア回路によってデコードされる。デコードされた映像は表示部２に表示され、音声はスピーカ３０に出力される。なお、コンテンツのデコードは、プログラム等のソフトウェアによって実現されてもよい。
【００５６】
図４に示すように、マザーボード１００は、ケーブル接続部３２と、チューナ１０２と、復調用ＩＣ（Integrated  Circuit）１０４と、録画用ＩＣ１０６と、記憶媒体１０８と、再生用ＩＣ１１０と、デコーダ１１２と、ＣＰＵ（Central  Processing  Unit）１１４と、メモリ１１６と、入力部１１８とを含む。
【００５７】
ケーブル接続部３２には、アンテナケーブル（図示せず）が接続される。たとえば、自宅内の利用者は、部屋に設置された端子とケーブル接続部３２とをアンテナケーブルを用いて接続する。これにより自宅のテレビアンテナを利用してポータブルテレビ１においてテレビジョン放送の受信が可能になる。
【００５８】
チューナ１０２は、テレビアンテナからアンテナケーブルおよびケーブル接続部３２を経由してテレビジョン放送の放送信号を受信する。チューナ１０２は、利用者によって選択されたチャンネルに対応する放送信号を受信する。
【００５９】
チューナ１０２は、受信した放送信号を復調用ＩＣ１０４に送信する。チューナ１０２は、受信した放送信号を復調用ＩＣ１０４に直接的に送信してもよいし、あるいは、データバス１２０を経由してテレビジョン放送を送信するようにしてもよい。なお、チューナ１０２に加えてまたは代えてワンセグチューナが設けられてもよい。
【００６０】
復調用ＩＣ１０４は、受信した放送信号を復調する。復調用ＩＣ１０４は、テレビジョン放送に含まれるコンテンツの視聴時においては、復調した放送信号をデコーダ１１２に送信する。復調用ＩＣ１０４は、コンテンツの録画時においては、復調した放送信号を録画用ＩＣ１０６に送信する。
【００６１】
録画用ＩＣ１０６は、コンテンツの録画時においては、復調用ＩＣ１０４から受信した放送信号に含まれるコンテンツデータを記憶媒体１０８に記憶させる録画処理を実行する。コンテンツの録画時とは、利用者により録画ボタン２４が押下された場合や、現在の日時が予め設定された録画日時と一致する場合をいう。
【００６２】
記憶媒体１０８は、書き換え可能な記録媒体であればよく、たとえば、ハードディスク装置であってもよいし、ＳＤ（Secure Digital）カード等の不揮発性の脱着可能な記録媒体であってもよい。録画用ＩＣ１０６は、録画処理の実行中に停止ボタン２８が利用者により押下された場合には、録画処理を停止させる。
【００６３】
再生用ＩＣ１１０は、再生ボタン２６が利用者により押下された場合に記憶媒体１０８に記憶されたコンテンツをデコーダ１１２に送信して、表示部２にデコードされたコンテンツを表示させる再生処理を実行する。なお、再生処理の実行中においては、復調用ＩＣ１０４からデコーダ１１２への放送信号の送信が停止される。また、再生用ＩＣ１１０は、再生処理の実行中に停止ボタン２８が利用者により押下された場合には、再生処理を停止させる。
【００６４】
デコーダ１１２は、受信した放送信号をデコードして、ＭＰＥＧ（Moving  Picture  Experts  Group）等のファイル形式のコンテンツデータに変換する。デコーダ１１２は、変換したコンテンツデータを表示部２やスピーカ３０に出力する。なお、デコーダ１１２と表示部２との間には、図示しない描画装置が設けられる。また、デコーダ１１２とスピーカ３０との間には図示しないアンプ等の音量調整回路が設けられる。
【００６５】
ＣＰＵ１１４は、メモリ１１６に記憶されたプログラムを実行することによってポータブルテレビ１の動作を制御する。メモリ１１６には、ポータブルテレビ１の視聴動作、録画動作および再生動作を行なうためのプログラムが記憶される。あるいは、メモリ１１６は、放送信号の復調、録画処理および再生処理のうちの少なくともいずれかの実行時のバッファとして用いられてもよい。
【００６６】
入力部１１８は、左手用電源ボタン４と、第１右手用選局ボタン６と、第２右手用選局ボタン８と、第１右手用音量ボタン１０と、第２右手用音量ボタン１２と、右手用電源ボタン１４と、第１左手用選局ボタン１６と、第２左手用選局ボタン１８と、第１左手用音量ボタン２０と、第２左手用音量ボタン２２と、録画ボタン２４と、再生ボタン２６と、停止ボタン２８とに接続される。
【００６７】
左手用電源ボタン４および右手用電源ボタン１４のいずれかに対して利用者が押下操作することによってオン信号が入力部１１８に送信される。左手用電源ボタン４のスイッチ回路と入力部１１８とを結ぶ信号線と右手用電源ボタン１４のスイッチ回路と入力部１１８とを結ぶ信号線とは、途中で合流して１本の共通の信号線を形成する。そのため、左手用電源ボタン４および右手用電源ボタン１４のうちの少なくともいずれか一方が押下された場合にオン信号が共通の信号線を経由して入力部１１８に送信される。なお、左手用電源ボタン４および右手用電源ボタン１４の各々のスイッチ回路は、独立して入力部１１８と接続されてもよい。
【００６８】
ポータブルテレビ１が起動状態である場合に左手用電源ボタン４または右手用電源ボタン１４のスイッチ回路から入力部１１８にオン信号が送信される場合には、ポータブルテレビ１の内部電源またはポータブルテレビ１の外部電源からの電力供給が停止されて停止状態になる。
【００６９】
また、ポータブルテレビ１が停止状態である場合に、左手用電源ボタン４または右手用電源ボタン１４のスイッチ回路から入力部１１８にオン信号が送信される場合には、内部電源または外部電源からの電力供給が開始されて起動状態になる。
【００７０】
なお、ポータブルテレビ１の起動状態と停止状態との間の移行動作は、マザーボード１００に実装されたハードウェア回路によって行なわれてもよいし、停止状態であっても補助電源（図示せず）等を用いて作動するＣＰＵ１１４がプログラムを実行することによって行なわれてもよい。
【００７１】
第１右手用選局ボタン６および第１左手用選局ボタン１６のいずれかに対して利用者が押下操作することによってオン信号が入力部１１８に送信される。第１右手用選局ボタン６のスイッチ回路と入力部１１８とを結ぶ信号線と第１左手用選局ボタン１６のスイッチ回路と入力部１１８とを結ぶ信号線とは、途中で合流して１本の共通の信号線を形成する。そのため、第１右手用選局ボタン６および第１左手用選局ボタン１６のうちの少なくともいずれか一方が押下された場合にオン信号が共通の信号線を経由して入力部１１８に送信される。なお、第１右手用選局ボタン６および第１左手用選局ボタン１６の各々のスイッチ回路は、独立して入力部１１８と接続されてもよい。
【００７２】
第１右手用選局ボタン６および第１左手用選局ボタン１６のうちの少なくともいずれか一方のスイッチ回路から入力部１１８にオン信号が送信される場合には、チューナ１０２において選択されているチャンネルをチャンネル番号が増加するように変更するための処理がＣＰＵ１１４によって行なわれる。チャンネルの変更は、たとえば、選択中のチャンネルよりもチャンネル番号が一つ多いチャンネルへの変更であってもよいし、あるいは、選択中のチャンネルよりも番号が大きく、かつ、視聴可能な直近のチャンネルへの変更であってもよい。
【００７３】
第２右手用選局ボタン８および第２左手用選局ボタン１８のいずれかに対して利用者が押下操作することによってオン信号が入力部１１８に送信される。第２右手用選局ボタン８のスイッチ回路と入力部１１８とを結ぶ信号線と第２左手用選局ボタン１８のスイッチ回路と入力部１１８とを結ぶ信号線とは、途中で合流して１本の共通の信号線を形成する。そのため、第２右手用選局ボタン８および第２左手用選局ボタン１８のうちの少なくともいずれか一方が押下された場合にオン信号が共通の信号線を経由して入力部１１８に送信される。なお、第２右手用選局ボタン８および第２左手用選局ボタン１８の各々のスイッチ回路は、独立して入力部１１８と接続されてもよい。
【００７４】
第２右手用選局ボタン８および第２左手用選局ボタン１８のうちの少なくともいずれか一方のスイッチ回路から入力部１１８にオン信号が送信される場合には、チューナ１０２において選択されているチャンネルをチャンネル番号が減少するように変更するための処理がＣＰＵ１１４によって行なわれる。チャンネルの変更は、たとえば、選択中のチャンネルよりもチャンネル番号が一つ少ないチャンネルへの変更であってもよいし、あるいは、選択中のチャンネルよりも番号が小さく、かつ、視聴可能な直近のチャンネルへの変更であってもよい。
【００７５】
第１右手用音量ボタン１０および第１左手用音量ボタン２０のいずれかに対して利用者が押下操作することによってオン信号が入力部１１８に送信される。第１右手用音量ボタン１０のスイッチ回路と入力部１１８とを結ぶ信号線と第１左手用音量ボタン２０のスイッチ回路と入力部１１８とを結ぶ信号線とは、途中で合流して１本の共通の信号線を形成する。そのため、第１右手用音量ボタン１０および第１左手用音量ボタン２０のうちの少なくともいずれか一方が押下された場合にオン信号が共通の信号線を経由して入力部１１８に送信される。なお、第１右手用音量ボタン１０および第１左手用音量ボタン２０の各々のスイッチ回路は、独立して入力部１１８と接続されてもよい。
【００７６】
第１右手用音量ボタン１０および第１左手用音量ボタン２０のうちの少なくともいずれか一方のスイッチ回路から入力部１１８にオン信号が送信される場合には、デコーダ１１２とスピーカ３０との間に設けられるアンプ等の音量調整回路（図示せず）を用いて音量を増加側に変更するための処理がＣＰＵ１１４によって行なわれる。
【００７７】
第２右手用音量ボタン１２および第２左手用音量ボタン２２のいずれかに対して利用者が押下操作することによってオン信号が入力部１１８に送信される。第２右手用音量ボタン１２のスイッチ回路と入力部１１８とを結ぶ信号線と第２左手用音量ボタン２２と入力部１１８とを結ぶ信号線とは、途中で合流して１本の共通の信号線を形成する。そのため、第２右手用音量ボタン１２および第２左手用音量ボタン２２のうちの少なくともいずれか一方が押下された場合にオン信号が共通の信号線を経由して入力部１１８に送信される。なお、第２右手用音量ボタン１２および第２左手用音量ボタン２２のうちの少なくともいずれか一方のスイッチ回路から入力部１１８にオン信号が送信される場合には、上述した音量調整回路を用いて音量を減少側に変更するための処理がＣＰＵ１１４によって行なわれる。
【００７８】
録画ボタン２４に対して利用者が押下操作することによってオン信号が入力部１１８に送信される。録画ボタン２４のスイッチ回路から入力部１１８に対してオン信号が送信された場合には、ＣＰＵ１１４によって録画処理が実行される。
【００７９】
再生ボタン２６に対して利用者が押下操作することによってオン信号が入力部１１８に送信される。再生ボタン２６のスイッチ回路から入力部１１８に対してオン信号が送信された場合には、ＣＰＵ１１４によって再生処理が実行される。
【００８０】
停止ボタン２８に対して利用者が押下操作をすることによってオン信号が入力部１１８に送信される。録画処理の実行中に、停止ボタン２８のスイッチ回路から入力部１１８に対してオン信号が送信された場合には、ＣＰＵ１１４によって録画処理が停止される。また、再生処理の実行中に、停止ボタン２８のスイッチ回路から入力部１１８に対してオン信号が送信された場合には、ＣＰＵ１１４によって再生処理が停止される。
【００８１】
以上のような構成を有するポータブルテレビ１の動作について説明する。
＜右手把持状態である場合＞
たとえば、右手把持状態である場合を想定する。この場合において、利用者は、右手親指の付け根部分と親指以外の他の指とでポータブルテレビ１を幅方向に挟持した状態になる。
【００８２】
たとえば、ポータブルテレビ１が停止状態である場合に、利用者が右手親指を折り曲げて指先で右手用電源ボタン１４に対して押下操作を行なうことによりポータブルテレビ１は、停止状態から起動状態に移行する。
【００８３】
ポータブルテレビ１が起動状態になることにより、テレビジョン放送に含まれるコンテンツが表示部２に表示され、利用者はコンテンツの視聴が可能になる。
【００８４】
たとえば、利用者が右手の人差し指を折り曲げて指先で第１右手用選局ボタン６に対して押下操作を行なうことによりチャンネル番号が増加するようにチャンネルが変更される。また、利用者が右手の中指を折り曲げて第２右手用選局ボタン８に対して押下操作を行なうことによりチャンネル番号が減少するようにチャンネルが変更される。
【００８５】
さらに、利用者が右手の薬指を折り曲げて指先で第１右手用音量ボタン１０に対して押下操作を行なうことにより視聴中のコンテンツの音量が増加側に変更される。さらに、利用者が右手の小指を折り曲げて指先で第２右手用音量ボタン１２に対して押下操作を行なうことにより視聴中のコンテンツの音量が減少側に変更される。
【００８６】
また、左手操作部１５の隣接するボタン間には突出部１７，１９，２１が形成される。そのため、右手親指の付け根部分と左手操作部１５の各ボタンとの接触が抑制される。これにより、右手親指の付け根部分による左手操作部１５の各ボタンの操作が抑制される。その結果、左手操作部１５に対する誤操作が抑制される。
【００８７】
＜左手把持状態である場合＞
たとえば、左手把持状態である場合を想定する。この場合において、利用者は、左手親指の付け根部分と親指以外の他の指とでポータブルテレビ１を幅方向に挟持した状態になる。
【００８８】
たとえば、ポータブルテレビ１が停止状態である場合に、利用者が左手親指を折り曲げて指先で左手用電源ボタン４に対して押下操作を行なうことによりポータブルテレビ１は、停止状態から起動状態に移行する。
【００８９】
ポータブルテレビ１が起動状態になることにより、テレビジョン放送に含まれるコンテンツが表示部２に表示され、利用者はコンテンツの視聴が可能になる。
【００９０】
たとえば、利用者が左手の人差し指を折り曲げて指先で第１左手用選局ボタン１６に対して押下操作を行なうことによりチャンネル番号が増加するようにチャンネルが変更される。また、利用者が左手の中指を折り曲げて指先で第２左手用選局ボタン１８に対して押下操作を行なうことによりチャンネル番号が減少するようにチャンネルが変更される。
【００９１】
さらに、利用者が左手の薬指を折り曲げて指先で第１左手用音量ボタン２０に対して押下操作を行なうことにより視聴中のコンテンツの音量が増加側に変更される。さらに、利用者が左手の小指を折り曲げて指先で第２左手用音量ボタン２２に対して押下操作を行なうことにより視聴中のコンテンツの音量が減少側に変更される。
【００９２】
また、右手操作部５の隣接するボタン間には突出部７，９，１１が形成される。そのため、左手親指の付け根部分と右手操作部５の各ボタンとの接触が抑制される。これにより、左手親指の付け根部分による右手操作部５の各ボタンの操作が抑制される。その結果、右手操作部５に対する誤操作が抑制される。
【００９３】
以上のようにして、本実施の形態に係るポータブルテレビによると、左手把持状態である場合には、左手の親指以外の他の指でコンテンツの視聴時の操作を行なうことができる。さらに、右手把持状態である場合には、右手の親指以外の他の指でコンテンツの視聴時の操作を行なうことができる。したがって、左手および右手のいずれによっても片手操作が可能なポータブルテレビを提供することができる。
【００９４】
また、左手把持状態である場合には、左手の親指の付け根部分と右手操作部５との接触が突出部１７，１９，２１によって抑制されるため、左手の親指の付け根部分が右手操作部５に接触することによる誤操作を防止することができる。また、右手把持状態である場合には、右手の親指の付け根部分と左手操作部との接触が第２突出部によって抑制されるため、右手の親指の付け根部分が左手操作部１５に接触することによる誤操作を防止することができる。
【００９５】
なお、本実施の形態においては、ポータブルテレビ１の左側面および右側面に設けられ、各ボタンが配置された凹部には、ポータブルテレビ１の背面側にのみ貫通する切り欠き部が形成されるとして説明したが、特にこのような形状に限定されるものではない。たとえば、図５に示すように、ポータブルテレビ１の左側面および右側面に設けられ、各ボタンが配置された凹部には、ポータブルテレビ１の前面側から背面側にかけて貫通する切り欠き部が形成されてもよい。なお、図５に示すその他の構成については、図１に示すポータブルテレビ１と同様である。そのため、その詳細な説明は繰り返されない。このような構成としても図１で説明したポータブルテレビ１と同様の作用効果が発生する。
【００９６】
＜第２の実施の形態＞
以下、第２の実施の形態に係るポータブルテレビについて説明する。本実施の形態に係るポータブルテレビは、上述の第１の実施の形態に係るポータブルテレビの構成と比較して、右手操作部５および左手操作部１５の構成が異なる。それ以外の構成については、上述の第１の実施の形態に係るポータブルテレビ１の構成と同じ構成である。それらについては同じ参照符号が付してある。それらの機能も同じである。したがって、それらについての詳細な説明はここでは繰り返されない。
【００９７】
図６および図７に示すように、第１右手用選局ボタン６および第２右手用選局ボタン８の各々は、右手把持状態である場合の利用者の右手の人差し指に対応する位置に設けられる。第１右手用選局ボタン６および第２右手用選局ボタン８は、ポータブルテレビ１の前後方向に配置される。また、第１右手用選局ボタン６は、第２右手用選局ボタン８よりもポータブルテレビ１の前面側に設けられる。なお、第１右手用選局ボタン６および第２右手用選局ボタン８は、ポータブルテレビ１の前後方向に配置されることに限定されるものではなく、たとえば、上下方向に配置されてもよい。
【００９８】
第１右手用音量ボタン１０および第２右手用音量ボタン１２の各々は、右手把持状態である場合の利用者の右手の中指に対応する位置に設けられる。第１右手用音量ボタン１０および第２右手用音量ボタン１２は、ポータブルテレビ１の前後方向に配置される。また、第１右手用音量ボタン１０は、第２右手用音量ボタン１２よりも前面側に設けられる。なお、第１右手用音量ボタン１０および第２右手用音量ボタン１２は、ポータブルテレビ１の前後方向に配置されることに限定されるものではなく、たとえば、上下方向に配置されてもよい。
【００９９】
第１左手用選局ボタン１６および第２左手用選局ボタン１８の各々は、左手把持状態である場合の利用者の左手の人差し指に対応する位置に設けられる。第１左手用選局ボタン１６および第２左手用選局ボタン１８は、ポータブルテレビ１の前後方向に配置される。また、第１左手用選局ボタン１６は、第２左手用選局ボタン１８よりも前面側に設けられる。なお、第１左手用選局ボタン１６および第２左手用選局ボタン１８は、ポータブルテレビ１の前後方向に配置されることに限定されるものではなく、たとえば、上下方向に配置されてもよい。
【０１００】
第１左手用音量ボタン２０および第２左手用音量ボタン２２の各々は、左手把持状態である場合の利用者の左手の中指に対応する位置に設けられる。第１左手用音量ボタン２０および第２左手用音量ボタン２２は、ポータブルテレビ１の前後方向に配置される。また、第１左手用音量ボタン２０は、第２左手用音量ボタン２２よりも前面側に設けられる。なお、第１左手用音量ボタン２０および第２左手用音量ボタン２２は、ポータブルテレビ１の前後方向に配置されることに限定されるものではなく、たとえば、上下方向に配置されてもよい。
【０１０１】
このように構成されるポータブルテレビ１において各ボタンの機能については、図１で説明したポータブルテレビ１の各ボタンの機能と同一である。そのため、その詳細については繰り返されない。
【０１０２】
以上のような構成を有するポータブルテレビ１の動作について説明する。たとえば、利用者が右手把持状態でコンテンツを視聴している場合を想定する。利用者が右手の人差し指を折り曲げて指先で第１右手用選局ボタン６に対して押下操作を行なうことによりチャンネル番号が増加するようにチャンネルが変更される。また、利用者が右手の人差し指を折り曲げて第２右手用選局ボタン８に対して押下操作を行なうことによりチャンネル番号が減少するようにチャンネルが変更される。
【０１０３】
さらに、利用者が右手の中指を折り曲げて指先で第１右手用音量ボタン１０に対して押下操作を行なうことにより視聴中のコンテンツの音量が増加側に変更される。さらに、利用者が右手の中指を折り曲げて指先で第２右手用音量ボタン１２に対して押下操作を行なうことにより視聴中のコンテンツの音量が減少側に変更される。
【０１０４】
一方、利用者が左手把持状態でコンテンツを視聴している場合を想定する。利用者が左手の人差し指を折り曲げて指先で第１左手用選局ボタン１６に対して押下操作を行なうことによりチャンネル番号が増加するようにチャンネルが変更される。また、利用者が左手の人差し指を折り曲げて指先で第２左手用選局ボタン１８に対して押下操作を行なうことによりチャンネル番号が減少するようにチャンネルが変更される。
【０１０５】
さらに、利用者が左手の中指を折り曲げて指先で第１左手用音量ボタン２０に対して押下操作を行なうことにより視聴中のコンテンツの音量が増加側に変更される。さらに、利用者が左手の中指を折り曲げて指先で第２左手用音量ボタン２２に対して押下操作を行なうことにより視聴中のコンテンツの音量が減少側に変更される。
【０１０６】
以上のようにして、本実施の形態に係るポータブルテレビによると、上述の第１の実施の形態において説明した作用効果と同様の作用効果に加えて、人差し指および中指でチャンネルと音量の変更操作を行なうことができるため、親指の付け根部分と小指および薬指とによってポータブルテレビ１を安定して把持することができる。
【０１０７】
＜第３の実施の形態＞
以下、第３の実施の形態に係るポータブルテレビについて説明する。本実施の形態に係るポータブルテレビは、上述の第１の実施の形態に係るポータブルテレビの構成と比較して、右手操作部５および左手操作部１５の構成が異なる。それ以外の構成については、上述の第１の実施の形態に係るポータブルテレビ１の構成と同じ構成である。それらについては同じ参照符号が付してある。それらの機能も同じである。したがって、それらについての詳細な説明はここでは繰り返されない。
【０１０８】
図８および図９に示すように、本実施の形態において、右手操作部５は、第１右手用ダイアルスイッチ３６と、第２右手用ダイアルスイッチ３８とを含む。左手操作部１５は、第１左手用ダイアルスイッチ４０と、第２左手用ダイアルスイッチ４２とを含む。
【０１０９】
第１右手用ダイアルスイッチ３６は、右手把持状態である場合の利用者の右手の人差し指に対応する位置に設けられる。第１右手用ダイアルスイッチ３６は、ダイアル部分を回転させることによってチャンネルを変更するためのスイッチである。本実施の形態において、ダイアル部分は、ポータブルテレビ１の前後方向に回転するものとして説明するが、たとえば、ダイアル部分は、ポータブルテレビ１の上下方向に回転するものであってもよい。
【０１１０】
たとえば、利用者が人差し指をダイアル部分に接触させた状態でポータブルテレビ１の背面側から前面側への方向に移動させることによりダイアル部分を回転させる場合には、ダイアル部分の回転量に応じてチャンネル番号が増加するようにチャンネルを変更するため処理がＣＰＵ１１４によって行なわれる。
【０１１１】
また、利用者が人差し指をダイアル部分に接触させた状態でポータブルテレビ１の前面側から背面側への方向に移動させることによりダイアル部分を回転させる場合には、ダイアル部分の回転量に応じてチャンネル番号が減少するようにチャンネルを変更するための処理がＣＰＵ１１４によって行なわれる。
【０１１２】
第２右手用ダイアルスイッチ３８は、右手把持状態である場合の利用者の右手の中指に対応する位置に設けられる。第２右手用ダイアルスイッチ３８は、ダイアル部分を回転させることによって音量を変更するためのスイッチである。本実施の形態において、ダイアル部分は、ポータブルテレビ１の前後方向に回転するものとして説明するが、たとえば、ダイアル部分は、ポータブルテレビ１の上下方向に回転するものであってもよい。
【０１１３】
たとえば、利用者が中指をダイアル部分に接触させた状態でポータブルテレビ１の背面側から前面側への方向に移動させることによりダイアル部分を回転させる場合には、ダイアル部分の回転量に応じて音量を増加側に変更するための処理がＣＰＵ１１４によって行なわれる。
【０１１４】
また、利用者が中指をダイアル部分に接触させた状態でポータブルテレビ１の前面側から背面側への方向に移動させることによりダイアル部分を回転させる場合には、ダイアル部分の回転量に応じて音量を減少側に変更するための処理がＣＰＵ１１４によって行なわれる。
【０１１５】
なお、第２右手用ダイアルスイッチ３８のダイアル部分の回転方向を、第１右手用ダイアルスイッチ３６のダイアル部分の回転方向と異なる方向としてもよい。このようにすると、誤操作の防止が図られる。
【０１１６】
第１左手用ダイアルスイッチ４０は、左手把持状態である場合の利用者の左手の人差し指に対応する位置に設けられる。第１左手用ダイアルスイッチ４０は、ダイアル部分を回転させることによってチャンネルを変更するためのスイッチである。なお、第１左手用ダイアルスイッチ４０のダイアル部分の機能については、第１右手用ダイアルスイッチ３６のダイアル部分の機能と同様であるため、その詳細な説明は繰り返されない。
【０１１７】
第２左手用ダイアルスイッチ４２は、左手把持状態である場合の利用者の左手の中指に対応する位置に設けられる。第２左手用ダイアルスイッチ４２は、ダイアル部分を回転させることによって音量を変更するためのスイッチである。なお、第２左手用ダイアルスイッチ４２のダイアル部分の機能については、第２右手用ダイアルスイッチ３８のダイアル部分の機能と同様であるため、その詳細な説明は繰り返されない。
【０１１８】
以上のような構成を有するポータブルテレビ１の動作について説明する。たとえば、利用者が右手把持状態でコンテンツを視聴している場合を想定する。利用者が右手の人差し指の指先を背面側から前面側に向けて移動させて第１右手用ダイアルスイッチ３６のダイアル部分を回転させる操作を行なうことによってチャンネル番号が増加するようにチャンネルが変更される。また、利用者が右手の人差しの指先を前面側から背面側に向けて移動させて第１右手用ダイアルスイッチ３６のダイアル部分を回転させる操作を行なうことによってチャンネル番号が減少するようにチャンネルが変更される。
【０１１９】
さらに、利用者が右手の中指の指先を背面側から前面側に向けて移動させて第２右手用ダイアルスイッチ３８のダイアル部分を回転させる操作を行なうことによって音量が増加側に変更される。また、利用者が右手の中指の指先を前面側から背面側に向けて移動させて第２右手用ダイアルスイッチ３８のダイアル部分を回転させる操作を行なうことにより音量が減少側に変更される。
【０１２０】
以上のようにして、本実施の形態に係るポータブルテレビによると、上述の第１の実施の形態において説明した作用効果と同様の作用効果に加えて、人差し指および中指でチャンネルと音量の変更操作を行なうことができるため、親指の付け根部分と小指および薬指とによってポータブルテレビ１を安定して把持することができる。本実施の形態においては、ダイアルスイッチを用いたポータブルテレビ１について説明したが、ダイアルスイッチに代えて基準位置の操作部材を筺体３の背面側および前面側に移動させることが可能なスライドスイッチを用いてもよい。
【０１２１】
＜第４の実施の形態＞
以下、第４の実施の形態に係るポータブルテレビについて説明する。本実施の形態に係るポータブルテレビは、上述の第１の実施の形態に係るポータブルテレビの構成と比較して、ポータブルテレビ１の筺体３の形状が異なる。それ以外の構成については、上述の第１の実施の形態に係るポータブルテレビ１の構成と同じ構成である。それらについては同じ参照符号が付してある。それらの機能も同じである。したがって、それらについての詳細な説明はここでは繰り返されない。
【０１２２】
図１０に示すように、本実施の形態において、図１で示したポータブルテレビ１と比較して凹部の形成に代えて背面の横幅を前面の横幅よりも小さくすることによって左側面および右側面をテーパー形状とする点が異なる。
【０１２３】
右側面および左側面をテーパー形状とすることにより、右手操作部５および左手操作部１５よりも前面側に設けられ、かつ、右手操作部５および左手操作部よりも幅方向外側に突出した突出部１３，２３が形成される。
【０１２４】
このように構成されるポータブルテレビ１において各ボタンの機能については、図１で説明したポータブルテレビ１の各ボタンの機能と同一である。そのため、その詳細については繰り返されない。
【０１２５】
以上のような構成を有するポータブルテレビ１の動作について説明する。たとえば、利用者が右手把持状態でコンテンツを視聴している場合を想定する。利用者が右手の人差し指を折り曲げて指先で第１右手用選局ボタン６に対して押下操作を行なうことによりチャンネル番号が増加するようにチャンネルが変更される。また、利用者が右手の中指を折り曲げて第２右手用選局ボタン８に対して押下操作を行なうことによりチャンネル番号が減少するようにチャンネルが変更される。
【０１２６】
さらに、利用者が右手の薬指を折り曲げて指先で第１右手用音量ボタン１０に対して押下操作を行なうことにより視聴中のコンテンツの音量が増加側に変更される。さらに、利用者が右手の小指を折り曲げて指先で第２右手用音量ボタン１２に対して押下操作を行なうことにより視聴中のコンテンツの音量が減少側に変更される。
【０１２７】
また、右側面をテーパー形状とすることにより、左手操作部１５よりも右手の親指の付け根側に突出した突出部２３が右側面に沿って形成される。そのため、右手親指の付け根部分と左手操作部１５の各ボタンとの接触が抑制される。これにより、右手親指の付け根部分による左手操作部１５の各ボタンの操作が抑制される。その結果、左手操作部１５に対する誤操作が抑制される。
【０１２８】
一方、利用者が左手把持状態でコンテンツを視聴している場合を想定する。利用者が左手の人差し指を折り曲げて指先で第１左手用選局ボタン１６に対して押下操作を行なうことによりチャンネル番号が増加するようにチャンネルが変更される。また、利用者が左手の中指を折り曲げて指先で第２左手用選局ボタン１８に対して押下操作を行なうことによりチャンネル番号が減少するようにチャンネルが変更される。
【０１２９】
さらに、利用者が左手の薬指を折り曲げて指先で第１左手用音量ボタン２０に対して押下操作を行なうことにより視聴中のコンテンツの音量が増加側に変更される。さらに、利用者が左手の小指を折り曲げて指先で第２左手用音量ボタン２２に対して押下操作を行なうことにより視聴中のコンテンツの音量が減少側に変更される。
【０１３０】
また、左側面をテーパー形状とすることにより、右手操作部５よりも左手の親指の付け根側に突出した突出部１３が左側面に沿って形成される。そのため、左手親指の付け根部分と右手操作部５の各ボタンとの接触が抑制される。これにより、左手親指の付け根部分による右手操作部５の各ボタンの操作が抑制される。その結果、右手操作部５に対する誤操作が抑制される。
【０１３１】
以上のようにして、本実施の形態に係るポータブルテレビによると、上述の第１の実施の形態において説明した作用効果と同様の作用効果を発生させることができる。
【０１３２】
なお、右手操作部５と左手操作部１５とは、左右対称であるとして説明したが、特に左右対称であることに限定されるものではない。たとえば、図１、２、５−１０で説明したポータブルテレビ１の右手操作部５および左手操作部１５の組み合わせを変えて左右非対称としてもよい。このようにすることで、右手または左手で操作を可能としつつ、外観設計の自由度の向上が図れる。
【０１３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３４】
１  ポータブルテレビ、２  表示部、３  筺体、４  左手用電源ボタン、５  右手操作部、６  第１右手用選局ボタン、７，９，１１，１３，１７，１９，２１，２３  突出部、８  第２右手用選局ボタン、１０  第１右手用音量ボタン、１２  第２右手用音量ボタン、１４  右手用電源ボタン、１５  左手操作部、１６  第１左手用選局ボタン、１８  第２左手用選局ボタン、２０  第１左手用音量ボタン、２２  第２左手用音量ボタン、２４  録画ボタン、２６  再生ボタン、２８  停止ボタン、３０  スピーカ、３２  ケーブル接続部、３４  充電コネクタ、３６  第１右手用ダイアルスイッチ、３８  第２右手用ダイアルスイッチ、４０  第１左手用ダイアルスイッチ、４２  第２左手用ダイアルスイッチ、１００  マザーボード、１０２  チューナ、１０４  復調用ＩＣ、１０６  録画用ＩＣ、１０８  記憶媒体、１１０  再生用ＩＣ、１１２  デコーダ、１１４  ＣＰＵ、１１６  メモリ、１１８  入力部、１２０  データバス。
【図１】
2013229807.tif 000003
【図２】
2013229807.tif 000004
【図３】
2013229807.tif 000005
【図４】
2013229807.tif 000006
【図５】
2013229807.tif 000007
【図６】
2013229807.tif 000008
【図７】
2013229807.tif 000009
【図８】
2013229807.tif 000010
【図９】
2013229807.tif 000011
【図１０】
2013229807.tif 000012